(57)【要約】【課題】ヘッドの目詰まりにより指定した記録モードでの記録ができなくなった場合でも、データを記録可能とする。【解決手段】本発明の記録装置は、画像データの情報量を圧縮し、標準記録モード用の回転ヘッドと高圧縮記録モード用の回転ヘッドとを用い、前記標準記録モードと高圧縮記録モードのうちの指定された記録モードで前記画像データを磁気テープに記録する装置であって、前記標準記録モードと前記高圧縮記録モードのうち指定された記録モード用の回転ヘッドの目詰まりを検出した場合に、他方の記録モード用のヘッドを用いて前記他方の記録モードにて前記画像データを記録する構成とした。【選択図】　　　図１
2004071091.tif 000002
【特許請求の範囲】
【請求項１】
互いに単位時間当たりに記録するデータの情報量が異なる第１の記録モードと第２の記録モードにてテープ状記録媒体に対して画像データを記録する装置であって、
前記第１の記録モード用の第１の回転ヘッドと前記第２の記録モード用の第２の回転ヘッドとを有し、前記第１の回転ヘッドと前記第２の回転ヘッドとを選択的に用いて前記テープ状記録媒体に対して前記画像データを記録する記録手段と、
前記第１の回転ヘッドが前記画像データを良好に記録可能な状態であるか否かを検出し、前記第１の回転ヘッドが前記画像データを良好に記録可能な状態ではない場合に、前記第２の回転ヘッドを用いて前記第２の記録モードで前記画像データを記録するよう前記記録手段を制御する制御手段とを備える記録装置。
【請求項２】
前記第１の記録モードにて記録する前記画像データの情報量は前記第２の記録モードにて記録する前記画像データの情報量よりも多いことを特徴とする請求項１記載の記録装置。
【請求項３】
前記第２の記録モードにて記録する前記画像データの情報量は前記第１の記録モードにて記録する前記画像データの情報量よりも多いことを特徴とする請求項１記載の記録装置。
【請求項４】
入力画像データの情報量を圧縮する圧縮手段を備え、前記圧縮手段は前記第１の記録モードにおいては第１の圧縮率で前記入力画像データを圧縮し、前記第２の記録モードにおいては前記第１の圧縮率とは異なる第２の圧縮率で前記入力画像データを圧縮することを特徴とする請求項１から３記載の記録装置。
【請求項５】
互いに単位時間当たりに異なる本数のトラックをテープ状記録媒体上に形成する第１の記録モードと第２の記録モードにて前記テープ状記録媒体に対して画像データを記録する装置であって、
前記第１の記録モード用の第１の回転ヘッドと前記第２の記録モード用の第２の回転ヘッドとを選択的に用いて前記テープ状記録媒体に対して前記画像データを記録する記録手段と、
前記第１の回転ヘッドが前記画像データを良好に記録可能な状態であるか否かを検出し、前記第１の回転ヘッドが前記画像データを良好に記録可能な状態ではない場合に、前記第２の回転ヘッドを用いて前記第２の記録モードで前記画像データを記録するよう前記記録手段を制御する制御手段とを備える記録装置。
【請求項６】
前記第１の記録モードにて単位時間当たりに形成するトラックの本数は前記第２の記録モードにて単位時間当たりに形成するトラックの本数よりも多いことを特徴とする請求項５記載の記録装置。
【請求項７】
前記第２の記録モードにて単位時間当たりに形成するトラックの本数は前記第１の記録モードにて単位時間当たりに形成するトラックの本数よりも多いことを特徴とする請求項５記載の記録装置。
【請求項８】
前記第１の記録モードと第２の記録モードとを任意に設定可能なモード設定手段を備え、前記制御手段は前記第１の回転ヘッドが前記画像データを良好に記録可能ではないと判断した場合には、前記モード設定手段により前記第１の記録モードが設定された場合であっても前記第２の記録モードにて前記画像データを記録するよう前記記録手段を制御することを特徴とする請求項１または５記載の記録装置。
【請求項９】
前記第１の記録モードと第２の記録モードとを任意に設定可能なモード設定手段を備え、前記制御手段は更に、前記第２の回転ヘッドが前記画像データを良好に記録可能な状態であり、且つ、前記モード設定手段により前記第２の記録モードが設定された場合に前記第２の記録モードにて前記画像データを記録するよう前記記録手段を制御することを特徴とする請求項１または５記載の記録装置。
【請求項１０】
前記制御手段は前記第１の回転ヘッドからの再生信号のエンベロープレベルに基づいて前記第１の回転ヘッドが前記画像データを良好に記録可能か否かを検出することを特徴とする請求項１または５記載の記録装置。
【請求項１１】
前記制御手段は更に、前記第２の回転ヘッドを用いて前記第２の記録モードにて記録を行う旨を示す警告情報を表示装置に出力することを特徴とする請求項１または５記載の記録装置。
【請求項１２】
前記記録手段は更に、前記第１の記録モードと前記第２の記録モードとで共通に用いる第３の回転ヘッドを有し、前記第１の記録モードにおいては前記第１の回転ヘッドと前記第３の回転ヘッドとを交互に用いて前記画像データを記録し、前記第２の記録モードにおいては前記第２の回転ヘッドと前記第３の回転ヘッドとを交互に用いて前記画像データを記録することを特徴とする請求項１または５記載の記録装置。
【請求項１３】
前記第１の回転ヘッドと前記第３の回転ヘッドとは互いに異なるアジマス角を有し、更に、回転ドラム上で１８０度回転位相が異なる位置に配置されていることを特徴とする請求項１２記載の記録装置。
【請求項１４】
前記第２の回転ヘッドと前記第３の回転ヘッドとは互いに異なるアジマス角を有し、更に、回転ドラム上で前記第２の回転ヘッドが前記第３の回転ヘッドよりも９０度位相が進んだ位置に配置されていることを特徴とする請求項１２記載の記録装置。
【請求項１５】
前記第１の回転ヘッドと前記第２の回転ヘッドとは同じアジマス角を有し、前記第３の回転ヘッドは前記第１の回転ヘッド及び第２の回転ヘッドとは異なるアジマス角を有することを特徴とする請求項１２から１４記載の記録装置。
【請求項１６】
前記テープ状記録媒体を搬送する搬送手段を備え、前記制御手段は記録モードに応じて前記テープ状記録媒体の搬送速度を変更するよう前記搬送手段を制御することを特徴とする請求項１または５記載の記録装置。
【請求項１７】
画像データの情報量を圧縮し、標準記録モード用の回転ヘッドと高圧縮記録モード用の回転ヘッドとを用い、前記標準記録モードと高圧縮記録モードのうちの指定された記録モードで前記画像データを磁気テープに記録する装置であって、
前記標準記録モードと前記高圧縮記録モードのうち指定された記録モード用の回転ヘッドの目詰まりを検出した場合に、他方の記録モード用のヘッドを用いて前記他方の記録モードにて前記画像データを記録することを特徴とする記録装置。
【発明の詳細な説明】
【０００１】
【発明の属する技術分野】
本発明は記録装置に関し、特に、記録モードに応じて異なるヘッドを用いる装置に関する。
【０００２】
【従来の技術】
近年、デジタル画像圧縮技術と、ＬＳＩ技術、高密磁気度記録技術の進歩により、画像信号をデジタルデータとして磁気テープに記録再生するデジタルカメラレコーダが登場し、一般に用いられている。
【０００３】
例えば、民生用デジタルＶＴＲの規格であるＤＶフォーマットでは、画像データの情報量を１／５程度に圧縮して記録再生している。また、ＤＶフォーマットでは、通常のＳＤモードに加え、画像データを１／１０に圧縮して記録するＳＤＬモードも用意されている。ＳＤＬモードではより高圧縮率で画像データを圧縮し、テープの走行速度をＳＤモード１／２とすることで、記録時間を二倍にすることができる。
【０００４】
【発明が解決しようとする課題】
前述の如きデジタルＶＴＲでは、回転磁気ヘッドにより磁気テープをトレースしながら多数のトラックを形成してデジタルデータを記録しており、磁性体の粉末や塵などで、ヘッドの目詰まりが発生することがある。この様な目詰まりのうち、短期間で自然に復帰するものも多いが、自然には回復しない場合もある。
【０００５】
目詰まりを起こしたヘッドによりデータを再生した場合、再生画像が横縞状に静止するので、ユーザにも容易に目詰まりが確認できる。そのため、クリーニングテープによりヘッドのクリーニングを行うことで、ヘッドの目詰まりを解消し、正常に再生することができる。また、記録されているデータにも影響はない。
【０００６】
しかし、記録中に目詰まりが発生した場合、ユーザは容易にヘッドの目詰まりを確認することができない。そのため、大切なデータを記録できなくなってしまうことが考えられる。
【０００７】
そこで、記録開始前に自動的にデータを再生し、この再生エンベロープの大きさからヘッドの目詰まりを事前に警告し、クリーニングを促すことも考えられる。
【０００８】
しかし、この場合でも、ユーザはヘッドが目詰まりしていることは認識できるものの、旅先などクリーニングテープを所持していない場合には対処することができないという問題があった。
【０００９】
本発明はこの様な問題点を解決することを目的とする。
【００１０】
本発明の他の目的は、ヘッドの目詰まりにより指定した記録モードでの記録ができなくなった場合でも、記録可能とする処にある。
【００１１】
【課題を解決するための手段】
この様な課題を解決するため、本発明においては、互いに単位時間当たりに記録するデータの情報量が異なる第１の記録モードと第２の記録モードにてテープ状記録媒体に対して画像データを記録する装置であって、前記第１の記録モード用の第１の回転ヘッドと前記第２の記録モード用の第２の回転ヘッドとを有し、前記第１の回転ヘッドと前記第２の回転ヘッドとを選択的に用いて前記テープ状記録媒体に対して前記画像データを記録する記録手段と、前記第１の回転ヘッドが前記画像データを良好に記録可能な状態であるか否かを検出し、前記第１の回転ヘッドが前記画像データを良好に記録可能な状態ではない場合に、前記第２の回転ヘッドを用いて前記第２の記録モードで前記画像データを記録するよう前記記録手段を制御する制御手段とを備える構成とした。
【００１２】
【発明の実施の形態】
本発明の実施形態について、図面を用いて説明する。
【００１３】
図１は本発明が適用されるＶＴＲ１００の構成を示す図である。本形態のＶＴＲ１００は、ＤＶフォーマットに従い画像データを記録再生する。
【００１４】
図１において、１０１はビデオカメラなどの撮像部を有する入力回路、１０２は画像データの情報量を圧縮する圧縮回路、１０３は圧縮された画像データに対し記録モード情報などを含む付加情報を付加し、エラー訂正符号化処理やデジタル変調処理などを施して記録に適した形態に変換する記録処理回路、１０４はアンプ、１０５は記録時と再生時とで切り替わるスイッチ、１０６は不図示のヘッドスイッチパルスＳＷＰに応じて切り替わるスイッチ、１０７はＳＤモードとＳＤＬモードとで切り替わるスイッチ、１０８はＣＨ０のマイナスアジマスヘッド、１０９は不図示の回転ドラム上でＣＨ０ヘッド１０８と１８０度対向した位置に設けられたプラスアジマスのＣＨ１ヘッド、１１０は回転ドラム上でＣＨ０ヘッド１０８に９０度先行する位置に設けられたＳＤＬ専用のプラスアジマスのＣＨ２ヘッドである。
【００１５】
また、１１１は再生アンプ、１１２は再生信号のエンベロープを検出するレベル検出回路、１１３は再生信号より元のデジタルデータを検出する再生処理回路、１１４は再生処理回路１１３からの画像データの情報量を伸張する伸張回路、１１５は伸張された画像データを外部機器に適した形式に変換する出力回路、１１６はＶＴＲ各部の動作を制御するシステム制御回路、１１７は記録、再生スイッチ、モード切り替えスイッチなど各種スイッチを有する操作部、１１８は表示部、１１９はテープのＴを走行するメカニズムである。
【００１６】
まず、記録時においては、入力回路１０１は指定された記録モードに従いサンプリングした画像データを出力する。圧縮回路１０２は指定された記録モードに応じた圧縮率で画像データを符号化してその情報量を圧縮し、記録処理回路１０３に出力する。記録処理回路１０３は圧縮された画像データに対して同期、ＩＤデータや記録モードなどの付加情報を付加し、更に、エラー訂正符号化、デジタル変調処理などを施して、記録アンプ１０４を介してスイッチ１０５に出力する。
【００１７】
スイッチ１０５は、記録時においてはシステム制御回路１１６からの指示に従い記録側端子に接続しており、記録アンプ１０４からのデータをスイッチ１０６に出力する。スイッチ１０６は不図示の回転ドラムの回転位相に同期して生成されたヘッド切り替えパルス（ＳＷＰ）に応じて切り替わり、ＣＨ０ヘッド１０８にデータを出力すると共に、スイッチ１０７を介してＣＨ１ヘッド１０９またはＣＨ２ヘッド１１０に出力する。スイッチ１０７は、後述の様にヘッドの目詰まりが無い状態では、ＳＤモード時にはＣＨ１ヘッド１０９にデータを出力し、ＳＤＬモード時にはヘッド１１０にデータを出力する。
【００１８】
ここで、本形態におけるヘッドの配置と切り替え状態について説明する。
【００１９】
図２はＳＤモードにおけるヘッドの切り替えの様子を示した図である。
【００２０】
図２に示す様に、マイナスアジマスのＣＨ０ヘッドとプラスアジマスのＣＨ１ヘッドはドラムＤ上に１８０度対向した位置に配置され、期間Ｔ１においては２０１に示す様にＣＨ０ヘッドによりテープＴ上にトラックを形成してデータを記録し、期間Ｔ２においては２０２に示す様にＣＨ１ヘッドによりデータを記録する。これ以降、交互にＣＨ０ヘッドとＣＨ１ヘッドによりデータを記録する。
【００２１】
また、図３に示す様に、ＳＤＬ専用のプラスアジマスのＣＨ２ヘッドはＣＨ０ヘッドに対して９０度先行する位置に配置されている。そして、図３の期間Ｔ３においては３０１に示す様にＣＨ０ヘッドによりデータを記録し、期間Ｔ５においては３０２に示す様にＣＨ２ヘッドによりデータを記録する。なお、ＳＤＬモードにおいては、メカニズム１１９によりテープＴがＳＤモード時の１／２の速度で搬送されている。そして、図３の期間Ｔ４及びＴ５においては、データの記録を行わず、テープＴを搬送する。
【００２２】
そして、ＳＤモードとＳＤＬモードではトラックの傾斜角が若干異なるものの、そのトラックピッチは同一であり、ＳＤモードでは１フレームの画像データを１０本のトラックに記録し、ＳＤＬモードでは１フレームの画像データを５本のトラックに記録する。
【００２３】
次に、再生時の動作について説明する。
【００２４】
再生時においては、ＣＨ０ヘッド１０８とＣＨ１ヘッド１０９あるいはＣＨ２ヘッド１１０によりテープＴからデータを再生し、スイッチ１０７、１０６を介してスイッチ１０５に出力する。スイッチ１０５は再生時にはシステム制御回路１１６からの指示により再生側に接続し、再生データをアンプ１１１を介してレベル１１２、再生処理回路１１３に出力する。再生処理回路１１３は再生信号から元のデジタルデータを検出すると共に、エラー訂正処理などを施し、伸張回路１１４に出力する。また、再生処理回路１１３は再生されたデータの記録モードを示す記録モード情報をシステム制御回路１１６に出力する。システム制御回路１１６はこの記録モード情報に基づいて再生されたデータの記録モードを判定し、メカニズム１１９を制御してテープＴの搬送速度を変更すると共に、スイッチ１０７の接続や各部の処理を制御する。レベル検出回路１１２は、再生信号のエンベロープレベルを検出し、システム制御回路１１６に出力する。
【００２５】
伸張回路１１４は再生データを復号して情報量を伸張し、出力回路１１５を介して外部に出力する。
【００２６】
また、表示部１１８は記録時においては入力回路１０１からの入力画像を表示し、再生時には伸張回路１１４からの再生画像を表示する。また、システム制御回路１１６は記録モードやタイムコードなど各種の情報を示すキャラクタを表示部に表示すると共に、後述の如く警告情報を表示する。
【００２７】
次に、記録開始時における目詰まり検出に伴う処理について図４のフローチャートを用いて説明する。図４は、前回の記録停止位置より所定量テープを巻き戻し、記録開始の指示に伴い記録されたデータを再生しながらトラッキング制御を行うことで正確に記録停止位置より記録を開始する、所謂つなぎ撮り時におけるシステム制御回路１１６の処理を示すフローチャートである。
【００２８】
記録開始の指示があると、まず、ＶＴＲ１００を再生状態としてテープＴからデータを再生する（ステップＳ４０１）。そして、ユーザが操作部１１７により指定した記録モードを判別する（ステップＳ４０２）。
【００２９】
記録モードがＳＤモードであった場合、まず、スイッチ１０７をＳＤ側に接続し、レベル検出回路１１２からの出力に基づいてＣＨ０ヘッド１０８の再生エンベロープレベルを検出する（ステップＳ４０３）。この結果、再生エンベロープレベルが所定値よりも大きかった場合、次に、ＳＤモード用のＣＨ１ヘッド１０９の再生エンベロープレベルを検出する（ステップＳ４０４）。この結果、ＣＨ１ヘッド１０９についても再生エンベロープレベルが所定値よりも大きかった場合、ＳＤモード時に用いるＣＨ０ヘッド１０８及びＣＨ１ヘッド１０９は何れも目詰まりしていないと判断し、ＳＤモードで記録を開始する（ステップＳ４０５）。
【００３０】
また、ステップＳ４０３でＣＨ０ヘッド１０８の再生エンベロープレベルが所定値よりも低い場合、ＣＨ１ヘッド１０９の再生エンベロープが得られているか判定する（ステップＳ４０６）。ここで、ＣＨ１ヘッド１０９からも再生エンベロープが得られない場合、無記録テープであると判断してステップＳ４０５に進み、ＳＤモードで記録を開始する。また、ステップＳ４０６においてＣＨ１ヘッド１０９の再生エンベロープが得られた場合、マイナスアジマスであるＣＨ０ヘッド１０８のみが目詰まりしていると判断し、クリーニングテープによるクリーニングを促す警告情報を表示部１１６に表示し（ステップＳ４０７）、記録を開始する。
【００３１】
また、ステップＳ４０４で、ＣＨ０ヘッド１０８については再生エンベロープが得られたものの、ＣＨ１ヘッド１０９の再生エンベロープが得られなかった場合、スイッチ１０７をＳＤＬ側に切り替え、ＣＨ２ヘッド１１０からの再生エンベロープレベルを検出する（ステップＳ４０８）。この際、ＣＨ２ヘッド１１０はＣＨ１ヘッド１０９よりも９０度位相が遅れた位置に配置されているため、この位相差を考慮してエンベロープ検出処理を行う。
【００３２】
その結果、ＣＨ２ヘッド１１０からの再生エンベロープが得られた場合、ＳＤＬモード用のＣＨ２ヘッド１１０については目詰まりを起こしていと判断し、ヘッド目詰まりのためＳＤＬモードにて記録を行う旨の警告情報を表示部１１６に表示し（ステップＳ４０９）、このＣＨ２ヘッド１１０を用いてＳＤＬモードにてデータの記録を開始する（ステップＳ４１０）。
【００３３】
又、ステップＳ４０８でＣＨ２ヘッド１１０の再生エンベロープが得られなかった場合、ＣＨ２ヘッド１１０も目詰まりを起こしていると判断し、ステップＳ４０７に進む。そして、前述の様にクリーニング警告を表示して記録を開始する。
【００３４】
一方、ステップＳ４０２においてＳＤＬモードが設定されていた場合、まず、スイッチ１０７をＳＤＬ側に接続し、ＣＨ０ヘッド１０８の再生エンベロープを確認し（ステップＳ４１１）、再生エンベロープが得られていた場合、更に、ＳＤＬ用のＣＨ２ヘッド１１０からの再生エンベロープを検出する（ステップＳ４１２）。そして、ＣＨ２ヘッド１１０から再生エンベロープが得られた場合、ＣＨ０ヘッド１０８、ＣＨ２ヘッド１１０の何れも目詰まりを起こしていないと判断し、ＳＤＬモードで記録を開始する（ステップＳ４１３）。
【００３５】
又、ステップＳ４１１においてＣＨ０ヘッド１０８の再生エンベロープが得られなかった場合、次にＣＨ２ヘッド１１０の再生エンベロープを検出する（ステップＳ４１４）。そして、ＣＨ２ヘッド１１０の再生エンベロープが得られた場合、ＣＨ２ヘッド１１０が目詰まりを起こしていると判断し、クリーニングテープによるクリーニングを促す警告情報を表示部１１６に表示し、記録を開始する（ステップＳ４１５）。
【００３６】
一方、ステップＳ４１２において、ＣＨ２ヘッド１１０の再生エンベロープが得られなかった場合、スイッチ１０７をＳＤ側に切り替え、ＣＨ１ヘッド１０９の再生エンベロープを検出する（ステップＳ４１６）。その結果、ＣＨ１ヘッド１０９の再生エンベロープが得られた場合、ＳＤモード用のＣＨ１ヘッド１０９は目詰まりを起こしていないと判断し、ヘッド目詰まりのためＳＤモードで記録を行う旨の警告情報を表示部１１６に表示し（ステップＳ４１７）、ＳＤモードで記録を開始する（ステップＳ４１８）。
【００３７】
又、ステップＳ４１６でＣＨ１ヘッド１０９の再生エンベロープが得られなかった場合、ＣＨ１ヘッド１０９も目詰まりを起こしていると判断し、ステップＳ４１５に進む。そして、前述の様にクリーニング警告を表示して記録を開始する。
【００３８】
この様に、本形態においては、ＳＤモードでの記録が指定されているにもかかわらず、ＳＤモード用のプラスアジマスヘッドであるＣＨ１ヘッド１０９が目詰まり状態であった場合、ＳＤＬモード用のプラスアジマスヘッドであるＣＨ２ヘッド１１０をＣＨ１ヘッド１０９の代わりに使用し、ＳＤＬモードで記録を行っている。
【００３９】
また、その逆に、ＳＤＬモードでの記録が指定されているにもかかわらず、ＳＤＬモード用のプラスアジマスヘッドであるＣＨ２ヘッド１１０が目詰まり状態であった場合、ＳＤモード用のプラスアジマスヘッドであるＣＨ１ヘッド１０９をＣＨ２ヘッド１１０の代わりに使用し、ＳＤモードで記録を行っている。
【００４０】
そのため、ユーザが指定した記録モードで用いるヘッドが目詰まり状態であり、且つ、ユーザがクリーニングできない状態であっても、データを記録することが可能となる。
【００４１】
【発明の効果】
以上説明した様に、本発明によれば、ヘッドの目詰まりにより指定した記録モードでの記録ができなくなった場合でも、画像データを記録可能となる。
【図面の簡単な説明】
【図１】本発明が適用されるＶＴＲの構成を示す図である。
【図２】ＳＤモードにおける記録の様子を示す図である。
【図３】ＳＤＬモードにおける記録の様子を示す図である。
【図４】つなぎ撮り時の動作を示すフローチャートである。
【図１】
2004071091.tif 000003
【図２】
2004071091.tif 000004
【図３】
2004071091.tif 000005
【図４】
2004071091.tif 000006